(57)【要約】【課題】遊技領域における遊技釘や風車等の取付位置の自由度を高めると共に、遊技領域を流下する遊技球の動きに対する期待感を向上する。【解決手段】遊技盤に設けた装飾部材３７の側部に、パチンコ球が上方から通過して普通図柄表示部での普通図柄の変動を開始させる普通図柄作動口５２を設けると共に、普通図柄作動口５２より第２開口部３９側に隣接する位置に、パチンコ球が上方から通過可能な第１球入口５４を、パチンコ球が普通図柄作動口５２との間を通過不能な間隔で設ける。装飾部材３７の第１球入口５４の下方には、第１球入口５４を通過したパチンコ球を受けると共に、パチンコ球が側方から通過可能な第２球入口５９を形成した球受け部５８を設ける。更に、球受け部５８に連通して第１球入口５４または第２球入口５９を通過したパチンコ球を、装飾部材３７の下部に形成したステージ６５に案内する球案内通路６１を設けた。【選択図】図９
2008125771.tif 000002
【特許請求の範囲】
【請求項１】
遊技球が流下可能な遊技領域を有する遊技盤と、前記遊技盤の裏側に配設され、特別図柄を変動表示可能な特別図柄表示装置と、前記遊技盤の遊技領域に配設され、開口部を介して前記特別図柄表示装置の表示面が後方から臨む枠状の装飾部材と、前記遊技盤に配設されて前記遊技領域を流下する遊技球が入賞可能で、入賞により前記特別図柄表示装置での特別図柄の変動を開始させる始動入賞装置と、前記遊技盤に配設されて前記装飾部材の下方に位置し、前記特別図柄表示装置での特別図柄の変動結果に応じて開放して前記遊技領域を流下する遊技球が入賞可能な特別入賞装置と、普通図柄表示部における普通図柄の表示結果に基づいて前記始動入賞装置の入賞口を開放または拡大する開閉部材とを備えた遊技機において、
前記装飾部材は、
前記装飾部材の側部に設けられ、前記遊技領域を流下する遊技球が上方から通過可能で、遊技球の通過により前記普通図柄表示部での普通図柄の変動を開始させる普通図柄作動口と、
前記普通図柄作動口より前記開口部側に隣接して設けられて該普通図柄作動口との間を遊技球が通過不能な間隔で位置し、前記遊技領域を流下する遊技球が上方から通過可能な第１球入口と、
前記装飾部材の側部に設けられて前記第１球入口の下方に位置し、該第１球入口を通過した遊技球を受ける球受け部と、
前記球受け部に設けられ、前記遊技領域を流下する遊技球が側方から通過可能な第２球入口と、
前記装飾部材の側部に設けられて前記球受け部に連通し、前記第１球入口または第２球入口を通過した遊技球を案内する球案内通路と、
前記装飾部材の下部に形成されて前記球案内通路に連通し、該球案内通路から到来した遊技球を前記遊技領域へ排出するステージとを備える
ことを特徴とする遊技機。
【請求項２】
前記装飾部材を前記遊技盤の左右何れかに偏って配置すると共に、前記普通図柄作動口、第１球入口および第２球入口の夫々を、該装飾部材の偏り側とは反対側の側部に設けた請求項１記載の遊技機。
【発明の詳細な説明】
【技術分野】
【０００１】
本発明は、遊技機に関し、更に詳細には、遊技領域を流下する遊技球を一時的に受け入れて排出する装飾部材が配設された遊技機に関するものである。
【背景技術】
【０００２】
パチンコ機やアレンジボール機等の遊技機では、機内にセットされる遊技盤の盤面に画成した遊技領域の略中央位置に枠状の装飾部材(所謂センター役物)が配設されており、この装飾部材の開口部を介して複数の特別図柄を変動表示して図柄変動ゲームを行なう液晶式やドラム式等の特別図柄表示装置を後方から臨ませると共に、該遊技盤における装飾部材の下方位置に、パチンコ球(遊技球)の入賞により特別図柄表示装置での変動を開始させる始動入賞装置を配設するよう構成したものが多数提案されている。すなわち、この種の遊技機では、前記遊技領域に打ち出されたパチンコ球が前記始動入賞装置に入賞することにより、前記特別図柄表示装置で図柄変動ゲームに伴うリーチ演出等の各種の遊技演出がなされ、該特別図柄表示装置に図柄が所定の組合わせで停止すると、遊技者に有利な所謂大当りが発生するようになっている。
【０００３】
このように、大当りが発生するためには、前記始動入賞装置へのパチンコ球の入賞が必要とされることから、遊技者は、前記特別図柄表示装置での図柄変動ゲームと同様に、始動入賞装置へのパチンコ球の入賞にも大きな関心を持って遊技を楽しんでいる。そこで、前記装飾部材の下部にパチンコ球が左右方向に転動する所謂ステージを設けて、遊技領域を流下するパチンコ球を、装飾部材に設けたワープ入口、ワープ通路とも称される球入口および球通路を介して一旦受け入れてステージに案内し、該ステージ上で転動した後に遊技領域へ排出させることで、パチンコ球の動きを楽しませるよう構成したパチンコ機も多数提案されている(特許文献１)。また、特許文献１のパチンコ機では、前記始動入賞装置の入賞口を拡大する電動式の羽根部材を備えており、遊技領域に設けた普通図柄作動口をパチンコ球が通過することにより普通図柄表示部の普通図柄を変動させ、最終的に停止した普通図柄に応じて羽根部材を開放動作して、該始動入賞装置へのパチンコ球の入賞期待を高めるようにしている。
【特許文献１】特開２００２−２９１９９７号公報
【発明の開示】
【発明が解決しようとする課題】
【０００４】
ところで、前記特許文献１に開示された普通図柄作動口は、装飾部材の左端部近傍に設けられており、該普通図柄作動口とワープ入口との間をパチンコ球が流下し得るよう構成されている。すなわち、前記装飾部材の左端部近傍まで流下したパチンコ球は、(1)ワープ入口を通過するルート、(2)普通図柄作動口を通過するルート、(3)ワープ入口および普通図柄作動口の間を通過するルート、の何れかを通過する。従って、普通図柄作動口を通過したパチンコ球がワープ入口に案内されることは基本的になく、面白味に欠ける問題がある。
【０００５】
特に、近年は特別図柄表示装置の大型化に伴って前記装飾部材も大きくなっており、前記遊技領域の大部分を装飾部材が占有するに至っている。このため、前記(3)のルートを確保するには普通図柄作動口を遊技領域の隅(一般的には内レールの近傍。すなわちワープ入口から離れた位置)に配置する必要がある。すなわち、遊技領域を流下するパチンコ球を、遊技領域の隅に位置する普通図柄作動口へ誘導するために遊技釘や風車等の取付位置を調整する必要があるものの、装飾部材(特別図柄表示装置)の大型化に伴ってパチンコ球が流下する遊技領域が狭くなってきており、パチンコ球の適切な誘導が困難となる。
そこで、本発明は、遊技領域における遊技釘や風車等の取付位置の自由度を高めると共に、遊技領域を流下する遊技球の動きに対する期待感を向上し得る遊技機を提供することを目的とする。
【課題を解決するための手段】
【０００６】
前記課題を克服し、所期の目的を好適に達成するため、請求項１に係る遊技機は、
遊技球(P)が流下可能な遊技領域(21)を有する遊技盤(20)と、前記遊技盤(20)の裏側に配設され、特別図柄を変動表示可能な特別図柄表示装置(30)と、前記遊技盤(20)の遊技領域(21)に配設され、開口部(39)を介して前記特別図柄表示装置(30)の表示面(31)が後方から臨む枠状の装飾部材(37)と、前記遊技盤(20)に配設されて前記遊技領域(21)を流下する遊技球(P)が入賞可能で、入賞により前記特別図柄表示装置(30)での特別図柄の変動を開始させる始動入賞装置(23)と、前記遊技盤(20)に配設されて前記装飾部材(37)の下方に位置し、前記特別図柄表示装置(30)での特別図柄の変動結果に応じて開放して前記遊技領域(21)を流下する遊技球(P)が入賞可能な特別入賞装置(28)と、普通図柄表示部(46)における普通図柄の表示結果に基づいて前記始動入賞装置(23)の入賞口を開放または拡大する開閉部材(26)とを備えた遊技機において、
前記装飾部材(37)は、
前記装飾部材(37)の側部に設けられ、前記遊技領域(21)を流下する遊技球(P)が上方から通過可能で、遊技球(P)の通過により前記普通図柄表示部(46)での普通図柄の変動を開始させる普通図柄作動口(52)と、
前記普通図柄作動口(52)より前記開口部(39)側に隣接して設けられて該普通図柄作動口(52)との間を遊技球(P)が通過不能な間隔で位置し、前記遊技領域(21)を流下する遊技球(P)が上方から通過可能な第１球入口(54)と、
前記装飾部材(37)の側部に設けられて前記第１球入口(54)の下方に位置し、該第１球入口(54)を通過した遊技球(P)を受ける球受け部(58)と、
前記球受け部(58)に設けられ、前記遊技領域(21)を流下する遊技球(P)が側方から通過可能な第２球入口(59)と、
前記装飾部材(37)の側部に設けられて前記球受け部(58)に連通し、前記第１球入口(54)または第２球入口(59)を通過した遊技球(P)を案内する球案内通路(61)と、
前記装飾部材(37)の下部に形成されて前記球案内通路(61)に連通し、該球案内通路(61)から到来した遊技球(P)を前記遊技領域(21)へ排出するステージ(65)とを備えることを特徴とする。
【０００７】
このように、普通図柄作動口と第１球入口との間を遊技球が通過不能なよう両者を隣接させたことで、装飾部材における特別図柄表示装置の表示面が臨む開口部を小さくすることなく、該装飾部材自体を小型化できる。従って、遊技盤において遊技球が流下する遊技領域を広くすることができるから、遊技釘や風車の取付位置の自由度が高くなり、遊技領域内を流下する遊技球を適切に誘導することが可能となる。また、普通図柄作動口および第１球入口の形成方向へ流下した遊技球は、何れかの口を通過することになるから、遊技球の動きに対する期待感の向上が図られる。更に、前記普通図柄作動口および第１球入口の下方位置に第２球入口を設けるようにしたことで、普通図柄作動口および第１球入口の何れにも通過しなかった遊技球や、普通図柄作動口を通過した遊技球であっても第２球入口を介してステージへ案内される可能性があり、遊技球の動きに対する期待感を持続することができる。
【０００８】
請求項２に掛かる遊技機は、前記装飾部材(37)を前記遊技盤(20)の左右何れかに偏って配置すると共に、前記普通図柄作動口(52)、第１球入口(54)および第２球入口(59)の夫々を、該装飾部材(37)の偏り側とは反対側の側部に設けたことを要旨とする。
【０００９】
このように、前記装飾部材を遊技盤の左右何れかに偏って配置することで、遊技球が流下する遊技領域を確保しつつ特別図柄表示装置の更なる大型を図り得る。このとき、前記普通図柄作動口、第１球入口および第２球入口の夫々を、該装飾部材の偏り側とは反対側の側部、すなわち広く確保された遊技領域側に設けることで、これら各部の機能を損なうことはない。
【発明の効果】
【００１０】
本発明に係る遊技機によれば、遊技領域における遊技釘や風車等の取付位置の自由度を高めると共に、遊技領域を流下する遊技球の動きに対する期待感を向上し得る。
【発明を実施するための最良の形態】
【００１１】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」・「後」、および「左」・「右」とは、図１に示すようにパチンコ機の遊技盤を正面側(遊技者側)から見た状態で指称するものとする。
【実施例】
【００１２】
(パチンコ機について)
実施例に係るパチンコ機１０の概略構成について、図１を参照して説明する。パチンコ機１０は、遊技店に設けられた「島」とも称される設置枠台(図示せず)に固定される外枠１１と、該外枠１１に対して着脱および開閉可能に枢支された中枠１２と、該中枠１２に着脱交換可能に取り付けられて所要の遊技領域２１が画成される遊技盤２０と、中枠１２の前面側に着脱および開閉可能に枢支され、中枠１２に配設した遊技盤２０を透視保護する透明板を備えた前枠１３とを備えている。前記前枠１３には、前記透明板の下方位置にパチンコ球Ｐを貯留可能な上球皿１５が組み付けられており、前枠１３の開閉に合わせて該上球皿１５が一体的に開閉するようになっている。また、前記中枠１２の前側における前記前枠１３の下方には、パチンコ球Ｐを貯留可能な下球皿１６を形成した球皿部材１７が着脱および開閉可能に組み付けられている。なお、前記中枠１２における球皿部材１７の右方位置には、操作ハンドル１８が設けられており、該操作ハンドル１８を操作することで、中枠１２に配設した打球発射機構部(図示せず)が作動して上球皿１５のパチンコ球Ｐを遊技盤２０へ向けて打ち出すよう構成されている。また、前記中枠１２の裏側には、遊技店の島設備に設けられた球供給手段(図示せず)から供給されるパチンコ球を貯留可能な球タンク１２ａ(図７参照)が上部位置に設けられており、該中枠１２に設けた球払出装置(図示せず)の作動により球タンク１２ａ内のパチンコ球を前記上下の球皿１５,１６に賞球または貸球として供給するよう構成される。
【００１３】
(遊技盤について)
図２、図３または図６に示すように、前記遊技盤２０は、略円形状に湾曲形成した案内レール２０ｃにより遊技領域２１が画成され、該遊技領域２１の略中央に開設した第１開口部２０ａ(図４参照)に枠状の装飾部材３７が配設される。前記装飾部材３７は、大部分が開口する枠状に形成されて前後に開口する第２開口部(開口部)３９を有しており、該第２開口部３９の後側から種々の特別図柄を変動表示可能な特別図柄表示装置３０の表示面３１が臨むようになっている。また、前記遊技盤２０の裏側には、該特別図柄表示装置３０での表示演出に合わせた可動装飾部材１１５の動作による可動演出を行なうと共に、照明手段１４９の発光による発光演出を行なう遊技演出装置９０(何れも後述)が取り付けられており、該遊技演出装置９０に対して前記特別図柄表示装置３０が着脱可能に配設される。ここで、図７に示すように、前記遊技演出装置９０の上方には、前記中枠１２に設けた球タンク１２ａが位置している。
【００１４】
前記第１開口部２０ａは、図４に示すように、前記案内レール２０ｃの内側において右側に偏った位置に大きく開口して、該第１開口部２０ａに配設した装飾部材３７の左方では多数のパチンコ球Ｐの流下を許容する一方、該装飾部材３７の右方ではパチンコ球Ｐの流下数を制限している。すなわち、実施例の遊技盤２０では、パチンコ球Ｐが流下可能な遊技領域２１は実質的には装飾部材３７の上方から左方および下方に略限定されている。なお、前記遊技盤２０の下方には、始動入賞装置２３や特別入賞装置２８(いずれも後述)を取り付ける取付孔２０ｂ,２０ｂが開設されている(図４参照)。
【００１５】
また、前記遊技盤２０には、前記装飾部材３７の下方位置に、パチンコ球Ｐが入賞可能な始動入賞装置２３が配設され、該始動入賞装置２３の下部には、前記特別図柄表示装置３０での特別図柄変動ゲームの結果により発生する大当り時に開放する特別入賞装置２８が配設されている。ここで、実施例の特別図柄変動ゲームでは、特別図柄を３列で変動表示し、最終的に停止した特別図柄が所定の組み合わせ(例えば同一の特別図柄の三つ揃)であれば大当りが生起するよう設定されている。前記始動入賞装置２３は、内部に図示しない入賞スイッチが配設され、該入賞スイッチによるパチンコ球Ｐの検出に応じ、前記特別図柄表示装置３０を１回ずつ変動表示させて特別図柄変動ゲームを開始させるものである。実施例の始動入賞装置２３は、図１または図２に示すように、上部に位置する第１入賞口２４と、該第１入賞口２４の下方に位置する第２入賞口２５とを備えており、第１入賞口２４または第２入賞口２５にパチンコ球Ｐが入賞することで前記特別図柄表示装置３０での特別図柄変動ゲームが行なわれるようになっている。また、前記特別図柄表示装置３０で特別図柄変動ゲームが行なわれている間に、前記第１または第２入賞口２４,２５にパチンコ球Ｐが入賞した場合には、パチンコ球Ｐの入賞時に得られる情報を最大４個まで保持して、この保持した情報数(以下保留数という)を後述する特別図柄保留数表示部４７(図２参照)で報知するようになっている。
【００１６】
また、前記始動入賞装置２３は、図１または図２に示すように、常には第２入賞口２５を閉成する羽根状の開閉部材２６,２６を備えており、該開閉部材２６,２６が作動して第２入賞口２５を開放することで、第２入賞口２５へのパチンコ球Ｐの入賞が許容されるよう構成される。ここで、前記開閉部材２６,２６は、前記装飾部材３７に設けられた普通図柄作動口５２(後述)をパチンコ球Ｐが通過することにより普通図柄表示部４６(後述)で行なわれる普通図柄変動ゲームの結果に応じて開放するよう設定されている。また、前記普通図柄表示部４６で普通図柄変動ゲームが行なわれている間に、普通図柄作動口５２をパチンコ球Ｐが通過した場合には、パチンコ球Ｐの通過時に得られる情報を最大４個まで保持して、この保持した情報数(以下保留数という)を後述する普通図柄保留数表示部４８(図２参照)で報知するようになっている。
【００１７】
(特別図柄表示装置について)
前記特別図柄表示装置３０は、横長の略矩形状に形成され、前記特別図柄変動ゲームを表示する表示面３１を有する液晶ディスプレイであって、略矩形箱状に形成されたケース体３２に収容されている(図８参照)。前記ケース体３２には、前記特別図柄表示装置３０での表示演出を制御する表示制御装置１６２が内蔵されており、該表示制御装置１６２の制御に基づいて前記特別図柄変動ゲームが表示面３１に表示されるようになっている。また、前記ケース体３２の裏側には、前記遊技演出装置９０に設けられる後述の駆動モータ(駆動手段)１１０,１１１および位置検出センサ１３７,１４６の夫々に接続される駆動制御装置１６３と、該遊技演出装置９０に設けられるＬＥＤ１５３が接続される発光制御装置１６４とを備えた統括制御装置１６１が取り付けられている。そして、主制御装置１６０と統括制御装置１６１(駆動制御装置１６３、発光制御装置１６４)とを電気的に接続すると共に、統括制御装置１６１と表示制御装置１６２とを電気的に接続して、主制御装置１６０から統括制御装置１６１に対して制御信号が送られると、この制御信号に応じて各制御装置１６２,１６３,１６４が対応の部材を制御するよう構成される(図５参照)。そして、前記統括制御装置１６１は、前記遊技盤２０の裏面において前記遊技演出装置９０の下方に配設した制御用中継基板２２(図３参照)に接続される。また、前記ケース体３２は、透明な合成樹脂材で形成されており、前記特別図柄表示装置３０において特別図柄を可変表示する表示面３１をケース体３２の前側から視認し得るよう構成してある。なお、前記主制御装置１６０は、パチンコ機１０の全体を制御する制御装置である。
【００１８】
図８に示すように、前記ケース体３２の左側面部(図８では右側に位置する側面)には、上下端部近傍および上下方向の略中央位置の３箇所に、前記遊技演出装置９０への取付部として機能する係合片３３,３３,３３が形成されている。また、前記ケース体３２の右側面(図８では左側に位置する側面)には、上下方向の所要の幅に亘って外側へ延出する支持片３４が形成されており、該支持片３４における上下端部近傍に、前記遊技演出装置９０への取付部として機能する回転式の固定具３５,３５が配設されると共に、位置決め孔３４ａ,３４ａが前後に貫通するよう穿設してある。ここで、前記固定具３５は、回動操作用の摘み部３５ａと、前記支持片３４に当接する円錐吸盤状の係着盤３５ｂと、該係着盤３５ｂから適宜の間隔で略平行に所要幅で延出する一対の係着片３５ｃ,３５ｃとからなり、該係着片３５ｃ,３５ｃの前端部から係着盤３５ｂの径方向に延出した係合部３５ｄ,３５ｄが、後述する係合孔部１０１,１０１の縁部と係脱可能に係合するよう構成される(図２１参照)。
【００１９】
(装飾部材について)
前記装飾部材３７は、図２または図６に示すように、前記遊技盤２０の大部分を占める大型部材であって、第１開口部２０ａに整合するよう前後に開口する第２開口部３９が開設された枠状の環状体３８と、該環状体３８の外周部から外方へ延出して遊技盤２０の表面に当接するフランジ部４０と、遊技領域２１を流下するパチンコ球Ｐが第２開口部３９を横切るのを阻止する庇状部４１とから基本的に構成されている。前記環状体３８は、前記遊技盤２０の第１開口部２０ａの内周面に沿って延在して該第１開口部２０ａの内周面を被覆する被覆部４２を備えている。すなわち、前記第１開口部２０ａの前側から前記被覆部４２を挿入した状態で、前記フランジ部４０を遊技盤２０にネジ止めすることにより装飾部材３７の全体が固定される。ここで、前記庇状部４１は、前記環状体３８における上縁部から右側部に亘って曲面状に設けられており、遊技領域２１の上部位置に打ち出されて庇状部４１へ流下したパチンコ球Ｐを、該庇状部４１に沿って環状体３８(装飾部材３７)の左側部または右側部へ流下案内するようになっている。
【００２０】
また、図２に示すように、前記装飾部材３７の右下方位置には、前記普通図柄作動口５２へのパチンコ球Ｐの通過により変動して普通図柄変動ゲームを行なう普通図柄表示部４６と、特別図柄変動ゲームの保留数を表示する特別図柄保留数表示部４７と、普通図柄変動ゲームの保留数を表示する普通図柄保留数表示部４８とを備えた遊技情報表示装置４５が設けられている。なお、実施例では、前記普通図柄表示部４６は、「○」および「×」を表示可能な表示部からなり、「○」および「×」を交互に点灯して最終的に「○」が点灯することで当りが生起されて、前記開閉部材２６,２６が開放するよう設定してある。また、前記特別図柄保留数表示部４７および普通図柄保留数表示部４８は、夫々４個のＬＥＤから構成されて、各対応の保留数だけＬＥＤを点灯するようになっている。
【００２１】
また、図２、図６および図９〜図１１に示すように、前記装飾部材３７(環状体３８)の左側部には、遊技領域２１を流下するパチンコ球Ｐを受け入れて下方へ誘導する球誘導部５０が設けられると共に、該装飾部材３７(環状体３８)の内周下面側(下縁部)には、該球誘導部５０により誘導されたパチンコ球Ｐが到来して転動し、該パチンコ球Ｐを遊技領域２１へ排出するステージ６５が設けられている。
【００２２】
(球誘導部について)
前記球誘導部５０は、図９〜図１１に示すように、前記庇状部４１の左側下方に位置して前記普通図柄作動口５２および第１球入口５４が設けられた複合ゲート部５１と、該複合ゲート部５１の下方に位置して前記遊技領域２１に開口する第２球入口５９を形成した球受け部５８と、該球受け部５８を前記ステージ６５に連通する球案内通路６１とから構成されている。ここで、前記庇状部４１の左側と前記複合ゲート部５１との間には、パチンコ球Ｐが進入可能な球受入口５５が遊技領域２１に開口するよう構成されており、該球受入口５５を介して遊技領域２１を流下するパチンコ球Ｐが複合ゲート部５１に移動し得るようになっている。
【００２３】
前記普通図柄作動口５２は、上下に開口するよう形成されて、内部にパチンコ球Ｐを検出する球検出センサ５３を備えている。そして、前記球受入口５５から進入したパチンコ球Ｐが上方から普通図柄作動口５２に通過することにより、前記普通図柄表示部４６での普通図柄変動ゲームを開始させるよう構成されている。また、前記複合ゲート部５１には、前記普通図柄作動口５２の下方位置に、該普通図柄作動口５２を通過したパチンコ球Ｐを左方向(装飾部材３７から離間する方向)へ誘導する誘導片５１ａ(図９参照)が形成されている。そして、前記第１球入口５４は、上下に開口するよう形成され、遊技領域２１を流下するパチンコ球Ｐ(球受入口５５に進入したパチンコ球Ｐ)が上方から通過可能で、該第１球入口５４を通過したパチンコ球Ｐはそのまま鉛直方向へ落下するようになっている。
【００２４】
ここで、前記複合ゲート部５１における普通図柄作動口５２と第１球入口５４との位置関係につき説明する。前記複合ゲート部５１は、左側位置(すなわち装飾部材３７の左端部側)に前記普通図柄作動口５２が位置し、右側位置(すなわち普通図柄作動口５２より前記第２開口部３９側)に前記第１球入口５４が位置して、該普通図柄作動口５２と第１球入口５４とが隣接するよう設けられる。また、前記普通図柄作動口５２と第１球入口５４との間隔は、パチンコ球Ｐが通過不能な距離に設定されて、普通図柄作動口５２および第１球入口５４を隣接して形成する必要最小限の左右幅寸法で複合ゲート部５１が形成されている。すなわち、前記遊技領域２１から球受入口５５に進入したパチンコ球Ｐは、図１０に示すように、前記普通図柄作動口５２を通過するか、該普通図柄作動口５２を通り越して第１球入口５４を通過するようになっている。
【００２５】
また、前記球受け部５８は、図９〜図１１に示すように、前記複合ゲート部５１の第１球入口５４の直下方に位置するよう設けられて、該第１球入口５４を通過したパチンコ球Ｐが球受け部５８に直接落下する一方で、普通図柄作動口５２を通過したパチンコ球Ｐが球受け部５８に直接落下しないようになっている。更に、前記複合ゲート部５１と球受け部５８との間隔は、パチンコ球Ｐが通過不能な距離に設定されて、前記第１球入口５４または第２球入口５９を通過したパチンコ球Ｐだけが球受け部５８に受け入れられるよう構成されている。ここで、前記第２球入口５９は、前記球受け部５８の左側部に開口するよう設けられて、遊技領域２１を流下するパチンコ球Ｐが左方から通過するようになっている。なお、前記遊技盤２０における普通図柄作動口５２の出口下方には、遊技釘や風車等の流下方向変更部材(図示せず)が設けられており、普通図柄作動口５２を通過したパチンコ球Ｐであっても、該流下方向変更部材で流下方向が変更されることで、前記第２球入口５９へ進入し得るようになっている。
【００２６】
前記球案内通路６１は、図１１に示すように、前記球受け部５８の右後端部(装飾部材３７における第２開口部３９の境界側)で前記球受け部５８に連通して、該第２開口部３９に沿って下方に延在するよう形成されている。すなわち、前記第１球入口５４または第２球入口５９を通過したパチンコ球Ｐを球受け部５８で一旦受けた後に、前記球案内通路６１を介して下方へ案内し、球案内通路６１の下端に設けた球出口６１ａから前記ステージ６５へ排出するようになっている。ここで、前記球受け部５８は、右方へ向けて下方傾斜すると共に、右端部を前記球案内通路６１へ向けて下方傾斜するよう形成され、該球受け部５８が受けたパチンコ球Ｐをスムーズに球案内通路６１へ誘導し得るよう形成されている。
【００２７】
(ステージについて)
前記ステージ６５は、図１、図２、図６および図１２〜図１４に示すように、前記装飾部材３７(環状体３８)における下縁部の左側に位置する第１球転動ステージ部７３と、該装飾部材３７(環状体３８)における下縁部の右側に位置する第２球転動ステージ部８０とを備えており、前記球案内通路６１を通過したパチンコ球Ｐが第１球転動ステージ部７３および第２球転動ステージ部８０を転動して遊技盤２０の遊技領域２１へ排出されるよう構成される。すなわち、前記第１球転動ステージ部７３が前記球案内通路６１の球出口６１ａ側に位置し、前記第２球転動ステージ部８０は第１球転動ステージ部７３より球案内通路６１の球出口６１ａから離間して位置するようになっている。ここで、前記環状体３８の下縁部には、前記球案内通路６１の球出口６１ａに連通する位置に、前記第１球転動ステージ部７３から第２球転動ステージ部８０に亘って延在する第１球転動通路６６が設けられており、該球案内通路６１の球出口６１ａを通出したパチンコ球Ｐが両球転動ステージ部７３,８０間を相互移動し得るようになっている。
【００２８】
前記第１球転動通路６６は、図１２〜図１４に示すように、上下方向に緩やかに起伏する波形に形成され、第１球転動通路６６に到来したパチンコ球Ｐは、上下方向に変位しながら左右に転動するよう構成されている。ここで、前記第１球転動通路６６は、左右端部位置および左右方向の略中央位置(第１球転動ステージ部７３と第２球転動ステージ部８０との境界位置)で上方へ突出するよう湾曲し、該中央位置と左右端部との間で凹むよう湾曲している。そして、前記第１球転動通路６６における左右２箇所の最下方位置に、前側へ向けて下方傾斜する凹所６８,６８が夫々形成されると共に、各凹所６８,６８に対応する位置を前後に開口するよう切り欠いた第１規制板６７が、該第１球転動通路６６の前端縁に上方へ向けて突出形成されており、該第１球転動通路６６を転動するパチンコ球Ｐを何れかの凹所６８,６８から前方へ向けて排出し、凹所６８,６８以外の部位からパチンコ球Ｐが前方へ排出されるのを規制するようになっている。なお、以下の説明において、第１球転動通路６６の左側に位置する凹所６８に対応する排出部(第１球転動ステージ部７３に対応する排出部)を第１球案内部６９と指称し、第１球転動通路６６の右側に位置する凹所６８に対応する排出部(第２球転動ステージ部８０に対応する排出部)を第２球案内部７０と指称する。また、前記第１球転動通路６６における中央位置の突出部分には、上方へ突出する突出部７１が形成されており、該第１球転動通路６６を転動するパチンコ球Ｐの停留を防止するようになっている。
【００２９】
(第１球転動ステージ部について)
前記第１球転動ステージ部７３は、前記第１球転動通路６６の左側領域(球案内通路６１の球出口６１ａから前記突出部７１までの領域)と、前記第１球転動通路６６の前側に形成されて左右方向へ延在し、前記第１球案内部６９からのパチンコ球Ｐが移動する第２球転動通路７４とから構成されて、該第２球転動通路７４に設けた第１球排出部７７からパチンコ球Ｐを遊技領域２１へ排出するよう構成される(図１、図２および図１４参照)。前記第２球転動通路７４は、前記装飾部材３７の左端部から始動入賞装置２３の配設位置より上方左側までの間に形成され、その全長に亘って下方へ凹むよう湾曲している。すなわち、前記第２球転動通路７４は、前記始動入賞装置２３の直上方に位置しない領域に設けられている。
【００３０】
そして、前述した第１球転動通路６６と同様に、前記第２球転動通路７４の最下方位置に、前側へ向けて下方傾斜する凹所７５が形成されると共に、該第２球転動通路７４の前端縁に、凹所７５に対応する位置を前後に開口するよう切り欠いた第２規制板７６が上方へ向けて突出形成されており、該第２球転動通路７４を転動するパチンコ球Ｐを凹所７５から前方へ向けて排出し、凹所７５以外の部位からパチンコ球Ｐが前方へ排出されるのを規制するようになっている。すなわち、前記第２球転動通路７４の凹所７５に対応する排出部が前記第１球排出部７７として機能する。ここで、前記第１球排出部７７は、前記始動入賞装置２３の配設位置より左側で遊技盤２０の遊技領域２１に開放しており(図２参照)、第２球転動通路７４を転動するパチンコ球Ｐが前記始動入賞装置２３とは異なる位置へ向けて排出されるよう第１球排出部７７が形成されている。ここで、第２球転動通路７４の第１球排出部７７は、前記第１球転動通路６６の第１球案内部６９より右側に位置するよう設けられており、該第１球案内部６９から移動したパチンコ球Ｐを第２球転動通路７４で転動させた後に第１球排出部７７から排出するようになっている。また、前記第２球転動通路７４の右端部(第２球転動ステージ部８０との境界位置)には、上方へ突出する立上がり壁７８が設けられており、該第２球転動通路７４から第２球転動ステージ部８０へパチンコ球Ｐが移動するのを防止している。
【００３１】
(第２球転動ステージ部について)
前記第２球転動ステージ部８０は、図１２〜図１４に示すように、前記第１球転動通路６６の右側領域(前記突出部７１から右端部までの領域)と、該第１球転動通路６６の第２球案内部７０に対応して設けられて、前方へ向けて下方傾斜する連絡通路８１と、該連絡通路８１の経路途中における左右縁部に設けられて連絡通路８１を転動するパチンコ球Ｐが落下可能な落下口(落下部)８２,８２と、該落下口８２,８２から落下したパチンコ球Ｐを受け入れる球案内路８３とを備えている。ここで、前記連絡通路８１の前端部は、前記始動入賞装置２３の配設位置より右側で遊技盤２０の遊技領域２１に開放しており(図２参照)、該連絡通路８１を転動するパチンコ球Ｐを前端部から遊技領域２１へ排出するようになっている。すなわち、前記連絡通路８１の前端部が、パチンコ球Ｐを前記始動入賞装置２３とは異なる位置へ向けて排出する第２球排出部８４として機能する。なお、前記装飾部材３７(環状体３８)における前記第２球転動ステージ部８０に対応する位置には、複数の突起部８５ａ,８５ａを有する装飾体８５が設けられており、突起部８５ａ,８５ａの間に前記第２球排出部８４が臨むようになっている。また、前記連絡通路８１は、左右の側縁部が前記第１球転動通路６６と装飾体８５との間に開放するよう構成されており、該連絡通路８１の左右縁部からパチンコ球Ｐが落下し得るようになっている。すなわち、前記連絡通路８１の左右の側縁部が前記落下口８２,８２として機能する。
【００３２】
前記球案内路８３は、前記落下口８２,８２の下方に位置して上方に開口し、該落下口８２,８２から落下するパチンコ球Ｐを受け入れる受入通路部８６と、前記第１球転動通路６６の下方に位置して左方向へ下方傾斜し、受入通路部８６のパチンコ球Ｐが流入する誘導通路部８７と、誘導通路部８７の下端部に位置して前方へ下方傾斜し、前記始動入賞装置２３の上方で開口する排出通路部８８から構成され、落下口８２,８２から落下して受入通路部８６に受け入れたパチンコ球Ｐを、誘導通路部８７および排出通路部８８を介して始動入賞装置２３の上方まで誘導して遊技領域２１内に排出するよう構成されている(図１３〜図１５参照)。すなわち、前記球案内路８３における排出通路部８８の開口部がパチンコ球Ｐを前記始動入賞装置２３へ向けて排出する第３球排出部８９として機能し、前記第１球排出部７７および第２球排出部８４の間に位置するようになっている。
【００３３】
(遊技演出装置について)
図２、図３、図６または図１６〜図１８に示すように、前記遊技演出装置９０は、前記遊技盤２０の裏面に着脱可能に配設される本体としての枠状ケース体９１と、該枠状ケース体９１の表面から突出して前記環状体３８の第２開口部３９内に臨んで遊技盤２０の表面より前方へ突出する可動装飾部材１１５と、枠状ケース体９１の表面から突出して環状体３８の第２開口部３９内に臨む照明手段１４９と、枠状ケース体９１で覆蓋保護される第１駆動モータ(駆動手段)１１０および第２駆動モータ(駆動手段)１１１と、枠状ケース体９１で覆蓋保護され、第１駆動モータ１１０の駆動力を可動装飾部材１１５の第１可動体１１７(後述)に伝達する第１駆動伝達手段(駆動伝達手段)１２０と、第２駆動モータ１１１の駆動力を可動装飾部材１１５の第２可動体１１８,１１８(後述)に伝達する第２駆動伝達手段１４０とを備えている。そして、前記枠状ケース体９１の裏側に形成した設置部９９(後述)に、前記特別図柄表示装置３０が着脱可能に設置されるようになっている。なお、本実施例では前記第１および第２駆動モータ１１０,１１１として回転角度を制御可能なステッピングモータを用い、前記駆動制御装置１６３からの制御信号に基づいて夫々の駆動モータ１１０,１１１を所定角度だけ回転させ得るようになっている。また、前記各駆動モータ１１０,１１１の回転軸には、ピン１１２ａを偏心して設けたカム板１１２が設けられている。
【００３４】
(枠状ケース体について)
前記枠状ケース体９１は、図１６または図１７に示すように、上枠部９２、下枠部９３、左枠部９４および右枠部９５から枠状に形成されて、各枠部９２,９３,９４,９５の前側端部に連接する平板部９６に、前記装飾部材３７(環状体３８)の第２開口部３９より一回り小さな第３開口部９７が前後に開口するよう形成されている。そして、前記第３開口部９７に前記特別図柄表示装置３０の表示面３１が裏側から臨むようになっている。また、前記平板部９６の前側には、前記第３開口部９７に整合する開口を開設した平板枠状の第１装飾レンズ体１４８(後述)が設けられている(図１６参照)。なお、実施例では、前記平板部９６と第１装飾レンズ体１４８の開口を含めて第３開口部９７と指称するものとする。また、前記枠状ケース体９１は、所要箇所に形成した通孔９１ａ,９１ａを介して、前記第２開口部３９内に第３開口部９７が開口するよう枠状ケース体９１の表面が遊技盤２０の裏面に当接する状態でネジ止めされる。なお、前記枠状ケース体９１を遊技盤２０に取り付けた状態では、遊技盤２０の第１開口部２０ａに取り付けた装飾部材３７の被覆部４２が枠状ケース体９１の第１装飾レンズ体１４８に当接して、該装飾部材３７と枠状ケース体９１との間の隙間を塞いでいる。
【００３５】
ここで、図６に示すように、前記装飾部材３７(被覆部４２の後端部)には、後方へ突出する位置決め突部３７ａが４箇所(図６に２箇所のみ示す)に形成されると共に、前記枠状ケース体９１(第１装飾レンズ体１４８)の前面には、前方へ開口する位置決め孔９１ｂが位置決め突部３７ａと対応する位置に形成されている。すなわち、前記位置決め突部３７ａが位置決め孔９１ｂに挿入されることで前記装飾部材３７に対して枠状ケース体９１が置決めされ、この状態で枠状ケース体９１を遊技盤２０の裏面にネジ止めするようになっている。
【００３６】
また、前記遊技盤２０に対して枠状ケース体９１を取り付けた状態では、該枠状ケース体９１の上枠部９２および右枠部９５の夫々が前記第２開口部３９内に露出するよう構成され、該第２開口部３９内に露出する上枠部９２に前記可動装飾部材１１５が設けられると共に、第２開口部３９内に露出する上枠部９２および右枠部９５に前記照明手段１４９,１４９が設けられている。また、前記枠状ケース体９１の上枠部９２は、前後方向には幅広で、上下方向には幅狭な扁平形状に形成されており、前記遊技盤２０に枠状ケース体９１を固定すると共に枠状ケース体９１の設置部９９に対して特別図柄表示装置３０を設置した状態で、該上枠部９２が球タンク１２ａと特別図柄表示装置３０との間に位置するようになっている(図７参照)。更に、この状態で、前記特別図柄表示装置３０の表示面３１より前方に、前記可動装飾部材１１５および照明手段１４９の夫々が位置している。
【００３７】
そして、前記枠状ケース体９１の左上部位置(上枠部９２と左枠部９４との交差部位)に、前記第１駆動モータ１１０が配設されると共に、該枠状ケース体９１の右上部位置(上枠部９２と右枠部９５との交差部位)に、前記第２駆動モータ１１１が配設されている(図１６参照)。換言すると、前記第１駆動モータ１１０および第２駆動モータ１１１の夫々は、前記装飾部材３７の第２開口部３９内に臨む前記可動装飾部材１１５や照明手段１４９と前後に重ならないよう位置している。すなわち、前記第１および第２駆動モータ１１０,１１１は、前記装飾部材３７の第２開口部３９より外方に位置するよう枠状ケース体９１に配置されて、該第１および第２駆動モータ１１０,１１１の前側を遊技盤２０の裏面で閉成するよう構成してある。また、前記第１駆動モータ１１０および第２駆動モータ１１１の夫々は、前記枠状ケース体９１の裏側に配設される後述の駆動用中継基板(第１中継基板)１０６に配線接続される。
【００３８】
(設置部について)
前記設置部９９は、図１７に示すように、前記枠状ケース体９１の各枠部９２,９３,９４,９５により囲まれた領域に設けられて、前記特別図柄表示装置３０のケース体３２に設ける係合片３３,３３,３３および固定具３５,３５と、枠状ケース体９１に設けられる係合受部１００,１００,１００および係合孔部１０１,１０１とからなる係合手段により前記特別図柄表示装置３０におけるケース体３２の上下左右の移動を規制するよう構成されている。ここで、前記係合受部１００は、前記左枠部９４における枠状ケース体９１の平板部９６から後方へ突出する上下方向に離間した３箇所に設けられ、前記第３開口部９７側に開口して前記ケース体３２に形成した前記係合片３３,３３,３３を挿脱可能に構成されている。また、前記係合孔部１０１は、前記右枠部９５の上下に離間する２箇所に縦長形状に形成され、前記ケース体３２の支持片３４に設けた前記固定具３５の係着片３５ｃ,３５ｃを挿入可能に構成される。そして、前記固定具３５を対応の係合孔部１０１に挿入した状態ですることにより、前記係着片３５ｃ,３５ｃの係合部３５ｄ,３５ｄが対応の係合孔部１０１の縁部に係合するようになっている(図２１(b)参照)。すなわち、前記係合片３３,３３,３３を前記係合受部１００,１００,１００に挿入したもとで、前記ケース体３２を枠状ケース体９１に近接移動し、前記係合孔部１０１に係着片３５ｃ,３５ｃを挿入した状態で前記固定具３５を回転して係着片３５ｃ,３５ｃの係合部３５ｄ,３５ｄと係合孔部１０１とを係合することで、前記設置部９９(枠状ケース体９１の裏側)にケース体３２を取り付けるようになっている(図２１参照)。
【００３９】
また、図１７に示すように、前記右枠部９５の裏側には、上下方向に離間する２箇所に、前記ケース体３２に形成した位置決め孔３４ａ,３４ａと係合可能な位置決め突部１０２,１０２が突設されている。すなわち、前記位置決め孔３４ａ,３４ａおよび位置決め突部１０２,１０２は、前記設置部９９にケース体３２を組み付ける際には、係合によりケース体３２を位置決めする位置決め手段として機能し、該設置部９９にケース体３２を取り付けた後は、該ケース体３２の移動を規制する移動規制手段として機能するものである。なお、前記設置部９９に配設した前記ケース体３２の前面は、前記枠状ケース体９１の平板部９６に当接してケース体３２の前方移動を規制しており、該平板部９６の第３開口部９７に前記特別図柄表示装置３０の表示面３１が略整合して該表示面３１を前方から視認し得るようになっている。
【００４０】
また、前記左枠部９４の裏側には、前記各駆動モータ１１０,１１１からの配線および各位置検出センサ１３７,１４６からの配線を接続する駆動用中継基板(第１中継基板)１０６と、前記照明手段１４９からの配線を接続する照明用中継基板(第２中継基板)１０７とを設置する基板設置部１０５,１０５が設けられており、これらの中継基板１０６,１０７を、前記遊技盤２０の裏面における前記遊技演出装置９０の下方位置に設けた制御用中継基板(第３中継基板)２２に配線接続するよう構成される(図３および図５参照)。すなわち、前記各駆動モータ１１０,１１１および各位置検出センサ１３７,１４６は、前記駆動用中継基板１０６と制御用中継基板２２とを介して対応の駆動制御装置１６３に電気的に接続され、前記照明手段１４９は、前記照明用中継基板１０７と制御用中継基板２２とを介して対応の発光制御装置１６４に電気的に接続される。なお、実施例では、前記左枠部９４の上方位置に駆動用中継基板１０６が設置されて、枠状ケース体９１の上部位置(上枠部９２と、左右枠部９５の上部)に配置される前記各駆動モータ１１０,１１１および各位置検出センサ１３７,１４６との接続距離が短くなるよう構成されている。
【００４１】
(可動装飾部材について)
前記枠状ケース体９１の上枠部９２に配設される前記可動装飾部材１１５は、図６、図１６および図１８に示すように、前方へ膨出して所要の装飾が施された装飾体１１６と、該装飾体１１６の前側で上下方向に揺動可能な第１可動体１１７と、当該装飾体１１６に左右方向に離間して開設した通孔１１６ａ,１１６ａから露出し、左右方向に揺動可能な第２可動体１１８,１１８とから構成されて、該可動装飾部材１１５の全体が前記第３開口部９７の右側に偏倚して位置している。ここで、前記第１可動体１１７には、後述する弧状ラック部材１３４が裏側に配設されており、該弧状ラック部材１３４の左右側部に形成された弧状突出片１３４ａが前記上枠部９２に形成された弧状ガイド１１５ａを摺動することで、第１可動体１１７が上下方向に弧状に揺動し得るよう構成されている。ここで、前記第１可動体１１７および第２可動体１１８,１１８の夫々は、前記特別図柄表示装置３０の表示面３１より前方に位置するよう前記枠状ケース体９１に設けられている(図７参照)。また、第１可動体１１７は、枠状ケース体９１を遊技盤２０の裏側に配設した状態で、該遊技盤２０の表面より前方へ突出するよう構成される。また、前記第２可動体１１８,１１８は、目玉模様が表示された半球状の部材であって、前記上枠部９２に上下方向に延在するよう支持された支軸１１８ａ,１１８ａ(図１８参照)に枢支されて、左右方向に揺動し得るよう構成されている。また、前記第２可動体１１８,１１８は、光透過性の合成樹脂材により形成されており、第４発光体基板１５８のＬＥＤ１５３(何れも後述)を点灯・点滅することで、目玉模様が光るようになっている。
【００４２】
(第１駆動伝達手段について)
前記第１駆動伝達手段１２０は、図１８〜図２０に示すように、前記上枠部９２の左端側に設けられて左右方向にスライド移動可能で、前記第１駆動モータ１１０に連繋接続する第１スライド板１２１と、一方の端部が第１スライド板１２１に接続され、該第１スライド板１２１のスライド移動に伴って進退移動する可撓性ワイヤ１２３と、可撓性ワイヤ１２３を案内して一定軌跡で進退移動させるガイド部１２５と、該可撓性ワイヤ１２３の他方の端部が接続され、該可撓性ワイヤ１２３の進退動作を回転運動に変換して前記第１可動体１１７に伝達する変換手段１３０とを備えている。ここで、前記第１スライド板１２１の左端部には、前後に延在する第１長孔１２１ａが形成されており、該第１長孔１２１ａに、前記第１駆動モータ１１０の回転軸に設けた前記カム板１１２のピン１１２ａを挿通して第１駆動モータ１１０の駆動により第１スライド板１２１が左右方向に往復移動するよう構成されている(図１８参照)。
【００４３】
また、図１８に示すように、前記ガイド部１２５は、前記可撓性ワイヤ１２３が摺動可能に挿通されたチューブ１２６と、前記上枠部９２の内側に形成されてチューブ１２６を固定するチューブ保持部１２７とから構成され、該チューブ保持部１２７に保持されたチューブ１２６により、可撓性ワイヤ１２３が進退移動する軌跡が規定されている。ここで、前記チューブ保持部１２７は、前記第１駆動モータ１１０側の第１保持案内部１２８により前記チューブ１２６が左右方向に延在してチューブ１２６の開口端が左方を指向するよう保持すると共に、前記第１可動体１１７側の第２保持案内部１２９によりチューブ１２６の開口端が前方を指向するよう保持している。すなわち、前記第１スライド板１２１を左右方向にスライド移動することで、前記可撓性ワイヤ１２３の前記第１可動体１１７側の端部が前進または後退移動する(進退移動する)ようになっている。なお、前記第１スライド板１２１が往復スライド移動する状態において、前記可撓性ワイヤ１２３の両端部がチューブ１２６から常に突出するよう構成してある。また、前記第２保持案内部１２９の第１可動体１１７(変換手段１３０)側の端部には、前記チューブ１２６の前方開口端を枠状ケース体９１の定位置に固定する固定部材１２４が設けられており、前記ワイヤ１２３を進退移動させた際に、該チューブ１２６の前方開口端の位置がズレるのを防止している。すなわち、図２０に示すように、前記チューブ１２６の前方開口端から垂れ下がるように突出して前記変換手段１３０に接続された前記ワイヤ１２３の進退移動時に、該チューブ１２６の前方開口端に掛かる負荷を前記固定部材１２４で支持している。
【００４４】
なお、実施例において、「可撓性ワイヤ１２３の前進」とは、第１スライド板１２１の右方向への移動により、可撓性ワイヤ１２３の第１可動体１１７側の端部が前記チューブ１２６から突出する方向への動作をいい、「可撓性ワイヤ１２３の後退」とは、第１スライド板１２１が左方向へ移動して可撓性ワイヤ１２３の第１可動体１１７側の端部がチューブ１２６側に移動する方向への動作をいう。
【００４５】
前記変換手段１３０は、図１９または図２０に示すように、前記上枠部９２に後方へ傾倒した姿勢で配設されて傾斜方向に沿って直線的に往復移動可能なラック部材１３１と、上枠部９２に回転可能に枢支されて該ラック部材１３１と噛合する第１歯車１３２と、該第１歯車１３２と同一軸に設けられて一体的に回転する第２歯車１３３,１３３と、前記第１可動体１１７の裏側に固定されて上枠部９２に形成した弧状ガイド１１５ａに沿って移動可能で、該第２歯車１３３,１３３に噛合する弧状ラック部材１３４とから構成されて、前記可撓性ワイヤ１２３の第１可動体１１７側の端部がラック部材１３１に接続されている。すなわち、前記可撓性ワイヤ１２３が進退移動してラック部材１３１が往復移動することで前記第１歯車１３２および第２歯車１３３,１３３が回転し、該第２歯車１３３,１３３の回転により前記弧状ラック部材１３４が弧状ガイド１１５ａに沿って移動することで前記第１可動体１１７が上下方向に揺動するようになっている。ここで、前記第１スライド板１２１が左側に移動して前記可撓性ワイヤ１２３が最も後退した状態では、前記第１可動体１１７は前記装飾体１１６を覆う初期位置(図１６参照)に保持され、該１スライド板が右側に移動して可撓性ワイヤ１２３が最も前進した状態では、第１可動体１１７が下方へ揺動して装飾体１１６および第２可動体１１８,１１８を露出する終位置(図２０参照)に保持されて、可撓性ワイヤ１２３の進退移動により初期位置および終位置の間で第１可動体１１７が揺動するよう構成されている。
【００４６】
このように、実施例では、前記第１可動体１１７を駆動する第１駆動モータ１１０は、可動装飾部材１１５が偏る側(すなわち枠状ケース体９１の右側)とは反対側(すなわち枠状ケース体９１の左側)の位置に設けられて、可撓性ワイヤ１２３を利用した第１駆動伝達手段１２０により第１駆動モータ１１０と第１可動体１１７とが連繋接続されている。
【００４７】
また、前記第１スライド板１２１の右端部には、下方へ延出する第１位置検出片１２１ｂが形成されると共に、前記上枠部９２における第１スライド板１２１の下方位置には、該第１位置検出片１２１ｂを検出する第１位置検出センサ１３７を備えた第１位置検出基板１３８が設けられており、該第１位置検出センサ１３７が第１位置検出片１２１ｂを検出することで、前記第１可動体１１７が初期位置にあることが検出されるようになっている(図１９参照)。また、前記第１検出センサは、前記枠状ケース体９１に配設された前記駆動用中継基板１０６に接続される(図５参照)。
【００４８】
(第２駆動伝達手段について)
前記第２駆動伝達手段１４０は、図１８に示すように、前記上枠部９２の右端側に設けられて左右方向にスライド移動可能で、前記第２駆動モータ１１１に連繋接続する第２スライド板(連結杆)１４１と、該第２スライド板１４１の左右方向に離間する２箇所に設けられたラック部１４２,１４２とを備えている。そして、前記第２スライド板１４１の右端部には、前後に延在する第２長孔１４１ａが形成されており、該第２長孔１４１ａに前記第２駆動モータ１１１の回転軸に設けた前記カム板１１２のピン１１２ａを挿通して第２駆動モータ１１１の駆動により第２スライド板１４１が左右方向に往復移動するよう構成されている。ここで、前記第２スライド板１４１は、前記第２駆動モータ１１１の配設位置から、前記可動装飾部材１１５の左端部まで延在する薄板状部材であって、装飾体１１６における前記第２可動体１１８,１１８の配設位置に対応する２箇所に前記ラック部１４２,１４２が形成されており、該ラック部１４２,１４２が前記第２可動体１１８,１１８の歯車部１４４,１４４に噛合するようになっている。すなわち、前記第２スライド板１４１を左右方向にスライド移動することで、初期位置と終位置との間で、２つの第２可動体１１８,１１８が一体的に左右方向に揺動するようになっている。
【００４９】
また、前記第２スライド板１４１の左端部には、左方へ延出する第２位置検出片１４１ｂ(図１８参照)が形成されると共に、前記上枠部９２における第２スライド板１４１の左方位置には、該第２位置検出片１４１ｂを検出する第２位置検出センサ１４６を備えた第２位置検出基板１４７(図１８参照)が設けられており、該第２位置検出センサ１４６が第２位置検出片１４１ｂを検出することで、前記各第２可動体１１８,１１８が初期位置にあることを検出し得るようになっている。また、前記第２位置検出センサ１４６は、前記枠状ケース体９１に配設される駆動用中継基板１０６に接続される(図５参照)。
【００５０】
このように、実施例では、前記第２可動体１１８,１１８を駆動する第２駆動モータ１１１は、可動装飾部材１１５が偏る側(すなわち枠状ケース体９１の右側)と同じ側(すなわち枠状ケース体９１の右側)に設けられて、リンク機構を利用した第２駆動伝達手段１４０により第２駆動モータ１１１と第２可動体１１８,１１８とが連繋接続される。
【００５１】
(照明手段について)
前記照明手段１４９は、図１６に示すように、前記装飾部材３７(環状体３８)の第２開口部３９内に臨む第１照明部１５０,１５０と、該第２開口部３９内に突出しない第２照明部１５１とを備えており、前記枠状ケース体９１の平板部９６前側に配設された前記第１装飾レンズ体１４８を共通のレンズカバーとして機能するよう構成される。また、前記第１照明部１５０,１５０および第２照明部１５１の夫々は、前記特別図柄表示装置３０の表示面３１より前方に位置するよう前記枠状ケース体９１に設けられている(図７参照)。なお、前記第１装飾レンズ体１４８は、光透過性の合成樹脂材により形成された部材であって、光源から照射された光を拡散させる光拡散処理が施されている。
【００５２】
前記第１照明部１５０,１５０は、前記枠状ケース体９１の右枠部９５および上枠部９２の前記可動装飾部材１１５の左側に設けられており、枠状ケース体９１の平板部９６および前記第１装飾レンズ体１４８の間に設けられて光源としてのＬＥＤ１５３を配設した第１発光体基板１５４と、該第１装飾レンズ体１４８の前側に第１発光体基板１５４に対応して設けられた光透過性の合成樹脂材により形成された第２装飾レンズ体１５２とを有している。すなわち、前記第１発光体基板１５４のＬＥＤ１５３を点灯・点滅させた光が第１装飾レンズ体１４８および第２装飾レンズ体１５２を介してパチンコ機１０の正面に照射されるようになっている。ここで、前記各第１照明部１５０の第２装飾レンズ体１５２は、前記装飾部材３７(環状体３８)の第２開口部３９を介して遊技盤２０の表面より突出するよう形成される(図６および図７参照)。すなわち、前記枠状ケース体９１の表面から前記装飾部材３７の前端部(庇状部４１の前端部)までの前後方向の奥行寸法を利用した立体的形状に、前記第２装飾レンズ体１５２が形成されている。ここで、前記各第１照明部１５０の第１発光体基板１５４は、前記枠状ケース体９１に配設される照明用中継基板１０７に接続される(図５参照)。
【００５３】
また、前記第２照明部１５１は、前記左枠部９４に設けられて枠状ケース体９１の平板部９６および前記第１装飾レンズ体１４８の間に位置する第２発光体基板１５６と、前記下枠部９３に設けられて第１装飾レンズ体１４８の下方に位置する第３発光体基板１５７と、前記第２可動体１１８,１１８の裏側に対応して位置する第４発光体基板１５８とを有しており、各発光体基板１５６,１５７,１５８の夫々に光源としてのＬＥＤ１５３が配設されている。すなわち、前記第２発光体基板１５６のＬＥＤ１５３を点灯・点滅させた光は第１装飾レンズ体１４８を介してパチンコ機１０の正面に照射され、第３発光体基板１５７のＬＥＤ１５３を点灯・点滅させた光は第１装飾レンズ体１４８を介して第３開口部９７の内側に照射されると共に、第４発光体基板１５８のＬＥＤ１５３を点灯・点滅させた光は第２可動体１１８,１１８を介してパチンコ機１０の正面に照射されるようになっている。ここで、前記第２照明部１５１の第２〜第４発光体基板１５６,１５７,１５８の夫々は、前記第１照明部１５０と同様に、前記枠状ケース体９１に配設される照明用中継基板１０７に接続される(図５参照)。
【００５４】
(実施例の作用)
次に、実施例のパチンコ機１０の作用につき説明する。
【００５５】
(遊技盤に対する装飾部材および遊技演出装置の組み付けについて)
前記装飾部材３７は、前記遊技盤２０に開設した第１開口部２０ａの前側から前記環状体３８の被覆部４２を挿入し、該装飾部材３７のフランジ部４０を遊技盤２０にネジ止めすることで、装飾部材３７の全体が固定される。また、前記遊技演出装置９０は、前記枠状ケース体９１の第３開口部９７が前記装飾部材３７(環状体３８)の第２開口部３９内に開口するように、該枠状ケース体９１の表面が遊技盤２０の裏面に当接した状態でネジ止めされる。そして、前記遊技盤２０の裏側に枠状ケース体９１をネジ止めした状態で、該枠状ケース体９１の裏側に設けた前記各係合受部１００に、前記ケース体３２に形成した前記係合片３３を挿入し、枠状ケース体９１の右枠部９５に向けてケース体３２を近接させる(図２１(a)参照)。そして、前記ケース体３２の支持片３４が前記右枠部９５の裏側に当接すると、該支持片３４に設けた前記回転式の各固定具３５の係着片３５ｃ,３５ｃが、右枠部９５に形成した係合孔部１０１,１０１に挿入され、この状態で前記摘み部３５ａを把持して固定具３５を回転することにより、固定具３５(係着片３５ｃ,３５ｃ)の係合部３５ｄ,３５ｄが係合孔部１０１,１０１の縁部に係合し(図２１(b)参照)、ケース体３２が枠状ケース体９１に固定される。
【００５６】
ここで、前記装飾部材３７は、前記普通図柄作動口５２の球検出センサ５３からの配線、および前記遊技情報表示装置４５からの配線を有するだけの簡略な構成であることから、該装飾部材３７を遊技盤２０の第１開口部２０ａに配設するに際して、配線の噛み込みや引っ掛かりに対する注意負担が軽減され、作業性の向上が図られる。また、パチンコ機１０の製造工程においては、遊技盤２０の表面が上方を向くよう倒した状態で前記第１開口部２０ａに装飾部材３７を配設し、その後に遊技盤２０を裏返して前記遊技演出装置９０が取り付けられる。ここで、前述のように前記装飾部材３７には、衝撃に弱い可動装飾部材１１５(第１可動体１１７および第２可動体１１８,１１８)や照明手段１４９を設けていないから、遊技盤２０を裏返すときの衝撃により可動体１１７,１１８や照明手段１４９が損傷したり、該可動装飾部材１１５や照明手段１４９に接続された配線が作業台に引っ掛かって断線等するのを防止でき、作業性向上が図られる。
【００５７】
また、前記遊技盤２０の裏側に配設した遊技演出装置９０に可動装飾部材１１５(第１可動体１１７および第２可動体１１８,１１８)用の第１および第２駆動モータ１１０,１１１を設け、枠状ケース体９１における前記装飾部材３７(環状体３８)の第２開口部３９より外方の位置に第１および第２駆動モータ１１０,１１１を配置したことで、該第２開口部３９に可動装飾部材１１５(第１および第２可動体１１７,１１８,１１８)および照明手段１４９だけを位置させ得るから、該可動装飾部材１１５(第１および第２可動体１１７,１１８,１１８)および照明手段１４９の大型化による演出効果の向上が可能となる。更に、前記枠状ケース体９１に駆動モータ１１０,１１１および駆動伝達手段１２０,１４０を設けることで、前記装飾部材３７(環状体３８)の第２開口部３９の大きさに拘わらず駆動モータ１１０,１１１や複雑な駆動伝達手段１２０,１４０を用いることができ、可動体１１７,１１８,１１８に多彩な動きをさせ得る。
【００５８】
また、前記各可動体１１７,１１８,１１８、駆動モータ１１０,１１１および駆動伝達手段１２０,１４０の各部材を単一の枠状ケース体９１に配設したから、該枠状ケース体９１の着脱交換により遊技盤２０に対してこれらの各部材が一度に着脱され、作業性の向上を図り得る。そして、前記各可動体１１７,１１８,１１８、駆動モータ１１０,１１１および駆動伝達手段１２０,１４０の位置関係が一義的に決定されるため、各部材を遊技盤２０に対して個別に配設する場合に較べて、煩わしい作業を要することなく駆動手段１１０,１１１の駆動力を可動体１１７,１１８,１１８に適切に伝達することが可能となる。
【００５９】
また、実施例では、前記枠状ケース体９１における左枠部９４の裏側に、前記第１および第２駆動モータ１１０,１１１からの配線と、第１および第２位置検出センサ１３７,１４６からの配線とを接続する駆動用中継基板１０６を設けると共に、前記照明手段１４９(第１発光体基板１５４)やその他枠状ケース体９１に配設される第２発光体基板１５６からの配線を接続する照明用中継基板１０７を設けたことで、これら配線を対応する接続位置に接続した状態で枠状ケース体９１を遊技盤２０に取り付けることができるから、取付時の配線の噛み込みや引っ掛かりを好適に防止できる。また、前記駆動用中継基板１０６および照明用中継基板１０７の夫々は、遊技盤２０の裏面における枠状ケース体９１の下方位置に設けた制御用中継基板２２に配線接続すると共に制御用中継基板２２と統括制御装置１６１を配線接続するだけで、対応の駆動制御装置１６３や発光制御装置１６４に対して電気的に接続できる。特に、実施例のように、枠状ケース体９１の裏側に対して統括制御装置１６１(駆動制御装置１６３や発光制御装置１６４)を配設する構成では、駆動用中継基板１０６および照明用中継基板１０７と統括制御装置１６１とを接続する配線を制御用中継基板２２で中継接続することで、ケース体３２や制統括御装置１６１の取付時における配線の取り回しの簡略化を図り得る。
【００６０】
また、前記ケース体３２(特別図柄表示装置３０)を固定するに際し、ネジやビス等を使用することなく、固定具３５を指先操作で回転させるだけでよいので、ケース体３２を設置部９９に簡単に取り付け得ると共に、ケース体３２(特別図柄表示装置３０)の組み付け作業性を向上でき、作業時間の短縮を図り得る。そして、前記遊技盤２０に取り付けた枠状ケース体９１の裏側に、前記ケース体３２を直接取り付けるよう構成したことにより、従来のように遊技盤２０の裏側に対して、特別図柄表示装置３０の固定用の部材と遊技演出装置と特別図柄表示装置との３つの部材・装置を前後に重ねて取り付ける場合に較べ、パチンコ機１０の前後方向の幅寸法を抑制し得るから、大型の特別図柄表示装置３０および遊技演出装置９０を配設し得るようになる。
【００６１】
また、前記ケース体３２を前記設置部９９に取り付けるに際し、前記ケース体３２に形成した前記位置決め孔３４ａ,３４ａが、前記枠状ケース体９１に形成した前記位置決め突部１０２,１０２に係合して該ケース体３２を位置決めするよう構成したので、組み付け作業をより容易に行ない得る。更に、前記設置部９９にケース体３２を取り付けた後は、ケース体３２に形成した位置決め孔３４ａ,３４ａが、枠状ケース体９１に形成した位置決め突部１０２,１０２の夫々に係合することで、ケース体３２の上下左右の動きを規制してガタツキを防止する効果がある。
【００６２】
また、前述のように、前記ケース体３２の右側面に突設した前記係合片３３,３３,３３を、前記枠状ケース体９１の裏側に設けた前記係合受部１００,１００,１００に挿入することで、該ケース体３２の右側面を前記設置部９９に固定できるから、組み付け作業の作業性がより向上される。更には、前記ケース体３２をより小型化し得ると共に、その設置スペース(設置面積)を減少させることができる。より詳しくは、前記ケース体３２の左側面に配設された前記固定具３５を、前記各係合片３３の代わりに該ケース体３２の右側面にも配設するように構成した場合には、各固定具３５を夫々(箇所)操作して組み付け作業を行なう必要がある。また、前記固定具３５の構造は、前記係合片３３よりも複雑であるので、その大きさは、該係合片３３よりも大きくなり、該ケース体３２も大きくなってしまう。これに対し、実施例では、前記固定具３５を一度操作するだけで組み付け作業が完了するため、作業を簡略化し得ると共に、作業性が向上する利点を有する。更に、前記係合片３３の構造は、前記固定具３５の構造より簡易であり、更にはその大きさも該固定具３５よりも小さなものである。従って、前記ケース体３２を小型化し得ると共に、該ケース体３２を設置するためのスペースを小さくすることが可能である。すなわち、前記係合片３３を突設するよう構成したことで、ケース体３２の左右両側面に前記回転式の固定具３５を設けた場合と同等の左右方向の幅寸法に設定した場合には、該ケース体３２自体の左右方向の幅寸法を大きくでき、より大型の特別図柄表示装置３０を採用することが可能となる。
【００６３】
また、前記遊技演出装置９０では、前記各可動体１１７,１１８,１１８と駆動モータ１１０,１１１とを枠状ケース体９１に配設すると共に、駆動力を伝達する駆動伝達手段１２０,１４０(可撓性ワイヤ１２３、変換手段１３０および第２スライド板１４１)を該枠状ケース体９１で覆蓋保護するよう構成したから、前記球タンク１２ａから落下したパチンコ球Ｐの接触等の外的要因により、各駆動伝達手段１２０,１４０に動作不良が生ずるのを好適に防止できる。
【００６４】
また、実施例では、前記枠状ケース体９１における第３開口部９７の右側に偏倚した位置に第１可動体１１７を配設すると共に、該枠状ケース体９１において第１可動体１１７から離れた左上部位置に第１駆動モータ１１０を配設してある。そして、前記枠状ケース体９１の上枠部９２に設けた可撓性ワイヤ１２３を介して、前記第１駆動モータ１１０と第１可動体１１７の裏側に設けた変換手段１３０とが連繋接続されている。すなわち、前記枠状ケース体９１の上枠部９２に沿って可撓性ワイヤ１２３を延在させるだけで、前記第１駆動モータ１１０と第１可動体１１７とを連繋接続しているから、該上枠部９２(特別図柄表示装置３０と球タンク１２ａとの間隔)を極力小さくでき、該特別図柄表示装置３０を大型化して遊技演出の迫力向上を図り得るようになる。また、前記可撓性ワイヤ１２３をチューブ１２６に摺動可能に挿通すると共に、該チューブ１２６をチューブ保持部１２７により保持することで、可撓性ワイヤ１２３を一定の軌跡で進退移動するよう構成したから、第１駆動モータ１１０の駆動力を第１可動体１１７に適切に伝達して、第１可動体１１７を正確に動作させることができる。
【００６５】
また、前記第１駆動モータ１１０の駆動により回転するカム板１１２のピン１１２ａの移動範囲で前記第１スライド板１２１が左右方向にスライド移動し、この第１スライド板１２１の移動範囲で前記可撓性ワイヤ１２３が進退移動する。すなわち、前記可撓性ワイヤ１２３が進退移動する範囲は、限られた短い距離だけである。従って、該可撓性ワイヤ１２３の端部に第１可動体１１７を直接接続した場合には、第１可動体１１７を大きく動作させるためにカム板１１２のピン１１２ａの移動範囲を大きくする(すなわちカム板１１２の直径を大きくする)必要が生じ、装置の大型化を招来することにも繋がる。そこで、実施例では、前記第１可動体１１７に設けた変換手段１３０として、複数のラック部材１３１,１３４や歯車１３２,１３３を利用してあるから、可撓性ワイヤ１２３の進退範囲が狭い場合でも第１可動体１１７を大きく動作させることができ、該第１可動体１１７の動作演出を減殺することはない。
【００６６】
更に、前記チューブ保持部１２７は、図１８に示すように、第１保持案内部１２８により前記可撓性ワイヤ１２３を第１駆動モータ１１０の配置方向(左右方向)へ進退案内し、第２保持案内部１２９により可撓性ワイヤ１２３をラック部材１３１の移動方向(前後方向)へ進退案内しているから、第１駆動モータ１１０の駆動により前記第１スライド板１２１が左右方向にスライド移動することで可撓性ワイヤ１２３における第１可動体１１７側の端部がラック部材１３１の移動方向へ進退移動し、第１駆動モータ１１０の駆動力を適切にラック部材１３１に伝達することができる。
【００６７】
また、前記枠状ケース体９１における第３開口部９７の右側に偏倚した位置に配置された第２可動体１１８,１１８は、該枠状ケース体９１において第２可動体１１８,１１８の配設位置側の右上部位置に配設した第２駆動モータ１１１に第２スライド板１４１を介して連繋接続されている。すなわち、前記第２可動体１１８,１１８と第２駆動モータ１１１とは、枠状ケース体９１に近接する位置に設けられているから、第２スライド板１４１を含む単純な第２駆動伝達手段１４０により接続できる。従って、前記第２駆動伝達手段１４０の設置に際して前記上枠部９２(特別図柄表示装置３０と球タンク１２ａとの間隔)を大きくする必要がなく、該特別図柄表示装置３０を大型化して遊技演出の迫力向上を図り得る。
【００６８】
また、実施例の可動装飾部材１１５のように、前記第１可動体１１７および第２可動体１１８,１１８を同じような位置(実施例では枠状ケース体９１における第３開口部９７の右上部位置)に配設し、更にこれら可動体１１７,１１８,１１８を別々の駆動モータ１１０,１１１を用いて異なる動作を行なわせる場合には、各可動体１１７,１１８,１１８と駆動モータ１１０,１１１とをスライド板１２１,１４１やギア等のみを利用したリンク機構で接続することは、スペース上、各可動体１１７,１１８,１１８に対応するリンク機構同士が干渉し困難である。そこで、実施例では、第１可動体１１７と第１駆動モータ１１０とを可撓性ワイヤ１２３を利用して接続するよう構成したことで、確実な駆動伝達を実現しつつ、第１可動体１１７と第１駆動モータ１１０とを接続する第１駆動伝達手段１２０に必要なスペースを最小限まで小さくし得る。また第２可動体１１８,１１８に対しては、第２スライド板１４１を利用した第２駆動伝達手段１４０を採用することで、複数の部材を一度に容易に動作させ得る。また第２駆動伝達手段１４０の構成を適宜変更することで、第２可動体１１８,１１８に対して複雑な動作を行なわせることもできる。すなわち、第１可動体１１７に対しては可撓性ワイヤ１２３を利用した第１駆動伝達手段１２０を利用し、第２可動体１１８に対してはスライド板１４１を利用した第２駆動伝達手段１４０を利用することで、異なる動作を行なう複数の可動体１１７,１１８,１１８を同じような位置に設置し得る。
【００６９】
(装飾部材について)
次に、前述のように組み付けたパチンコ機１０での遊技に際しての装飾部材３７の作用ついて説明する
【００７０】
前記遊技盤２０の第１開口部２０ａは、前記案内レール２０ｃ内の右側に偏った位置に開設されていることから、該装飾部材３７および遊技演出装置９０の夫々を組み付けた遊技盤２０の盤面に対して打ち出されたパチンコ球Ｐは、装飾部材３７の上方位置から左方位置および下方位置に亘って画成される遊技領域２１内を流下し、流下途中で始動入賞装置２３の第１および第２入賞口２４,２５に入賞することにより、前記特別図柄表示装置３０で特別図柄変動ゲームが開始される。ここで、前記装飾部材３７の左側部に設けた複合ゲート部５１に対応する位置に、前記遊技領域２１に開口する球受入口５５を開設してあるから、遊技領域２１を流下するパチンコ球Ｐは球受入口５５を介して装飾部材３７の複合ゲート部５１へ進入することができる。
【００７１】
前記球受入口５５から複合ゲート部５１に進入したパチンコ球Ｐは、(1)普通図柄表示部４６で普通図柄変動ゲームを開始させる契機となる普通図柄作動口５２を通過するルート、(2)装飾部材３７の下部に設けたステージ６５へパチンコ球Ｐを案内する第１球入口５４を通過するルート、の何れかを通ることになる。換言すると、前記複合ゲート部５１へ進入したパチンコ球Ｐは、前記始動入賞装置２３の開閉部材２６,２６を開放させる契機となる普通図柄作動口５２か、始動入賞装置２３へ入賞する期待感の高いステージ６５へパチンコ球Ｐを案内する第１球入口５４の何れかを通過する可能性が生じ、パチンコ球Ｐの動きに対する興味を惹き付け、遊技の興趣の増大が図られる。
【００７２】
また、前記複合ゲート部５１では、前記普通図柄作動口５２と第１球入口５４との間をパチンコ球Ｐが通過不能な間隔で両者を隣接させてあるから、装飾部材３７における特別図柄表示装置３０の表示面３１が臨む第２開口部３９を小さくすることなく装飾部材３７自体の小型化を図り得る。従って、前記複合ゲート部５１へ進入したパチンコ球Ｐの通過可能な前述した２つのルートを確保しつつ、遊技盤２０においてパチンコ球Ｐが流下する遊技領域２１を広くすることができるから、遊技釘や風車の取付位置の自由度が高くなり、遊技釘や風車により遊技領域２１内を流下するパチンコ球Ｐを適切に誘導することが可能となる。
【００７３】
更に、実施例では、前記複合ゲート部５１の下方位置に、左方へ開口してパチンコ球Ｐをステージ６５へ案内する第２球入口５９を形成した球受け部５８を設けてある。すなわち、前記第２球入口５９は、前記普通図柄作動口５２の球出口６１ａ側に開口するよう形成してあるから、普通図柄作動口５２を通過して遊技領域２１内に排出されたパチンコ球Ｐも第２球入口５９を通過し得る。このように、前記普通図柄作動口５２および第１球入口５４の何れにも通過しなかったパチンコ球Ｐや、普通図柄作動口５２を通過したパチンコ球Ｐであっても、前記第２球入口５９を介してステージ６５へ案内される可能性があり、パチンコ球Ｐの動きに対する期待感を持続することができる。
【００７４】
また、前述のように、前記装飾部材３７を遊技盤２０の右側に偏って配置したことで、パチンコ球Ｐが流下する遊技領域２１を確保しつつ特別図柄表示装置３０の更なる大型化を図り得る。このとき、前記複合ゲート部５１(普通図柄作動口５２および第１球入口５４)と球受け部５８(第２球入口５９)の夫々を、該装飾部材３７の左側部、すなわち遊技盤２０における遊技領域２１を広く確保した側に設けたことで、これら複合ゲート部５１および球受け部５８の機能を損なうことはない。
【００７５】
また、実施例では、前記球受け部５８を第１球入口５４の下方に配置して、該第１球入口５４に通過したパチンコ球Ｐを球受け部５８に受け入れるよう構成してある。すなわち、前記第１球入口５４および第２球入口５９を通過したパチンコ球Ｐの夫々は、該球受け部５８に連通する球案内通路６１を介して前記ステージ６５に案内される。このように、前記第１球入口５４および第２球入口５９を通過したパチンコ球Ｐを球受け部５８に一旦集合させたことで、球入口毎に球案内通路６１を形成する構成に較べて前記装飾部材３７の構成を簡略化し得ると共に、該装飾部材３７に形成する第２開口部３９を最大限まで大きくして大型の特別図柄表示装置３０を用いることが可能となる。
【００７６】
また、前記ステージ６５では、パチンコ球Ｐの転動パターンや、始動入賞装置２３へパチンコ球Ｐが案内される期待感の異なる第１球転動ステージ部７３と第２球転動ステージ部８０とを左右幅方向に並設すると共に、前記球案内通路６１の球出口６１ａに連通する第１球転動通路６６を介して両球転動ステージ部７３,８０の間をパチンコ球Ｐが相互移動し得るよう構成したから、ステージ６５の左右幅方向の全体を生かした演出が可能となる。
【００７７】
すなわち、第１球転動ステージ部７３では、第１球転動通路６６の第１球案内部６９から第２球転動通路７４に移動したパチンコ球Ｐは、第２球転動通路７４を左右方向に揺れ動くよう転動して最終的に第１球排出部７７から遊技領域２１に排出される。ここで、前記第１球排出部７７は、前記始動入賞装置２３の配設位置より左側にズレた位置に形成してあるから、該第１球排出部７７から排出されたパチンコ球Ｐが始動入賞装置２３に入賞する可能性は低くなっている。一方で、前記第２球転動ステージ部８０では、前記第１球転動通路６６の第２球案内部７０から連絡通路８１に移動したパチンコ球Ｐは、そのまま連絡通路８１の前端部まで転動して第２球排出口から遊技領域２１に排出されるか、転動途中で落下口８２,８２から落下して球案内路８３を介して第３球排出部８９から遊技領域２１に排出される。
【００７８】
ここで、前記第２球排出部８４は、前記始動入賞装置２３の配設位置より右側にズレた位置に形成されており、該第２球排出部８４から排出されたパチンコ球Ｐが始動入賞装置２３に入賞する可能性は低くなっているのに対し、前記第３球排出部８９は、始動入賞装置２３の配設位置の直上方に形成してあるから、該第３球排出部８９から排出されたパチンコ球Ｐが始動入賞装置２３に入賞する可能性は高くなっている。すなわち、前記球案内通路６１からステージ６５上に案内されたパチンコ球Ｐが、第１球転動ステージ部７３を介して遊技領域２１へ排出されるか、第２球転動ステージ部８０を介して遊技領域２１へ排出されるかにより、遊技者に与える利益が左右することから、ステージ６５上を転動するパチンコ球Ｐに対する遊技者の興味を強く惹き付けることができる。
【００７９】
ここで、前記第２球転動ステージ部８０では、前述のように、連絡通路８１をそのまま通過して第２球排出部８４から排出された場合にはパチンコ球Ｐが始動入賞装置２３に入賞する可能性は低い一方で、連絡通路８１から球案内通路６１に落下して第３球排出部８９から排出された場合にはパチンコ球Ｐが始動入賞装置２３に入賞する可能性が高くなるようになっている。すなわち、従来のステージ６５の構成では、特定の排出口や案内溝から直線的に遊技領域２１に排出された場合に始動入賞装置２３へ入賞し易く、移動途中で転動方向が逸れて落下した場合に始動入賞装置２３へ入賞し難くなるよう構成されているのが一般的であり、実施例のステージ６５の構成によれば従来とは異なった意外性のある演出が実現される。このとき、前記第１球転動ステージ部７３および第２球転動ステージ部８０から前記ステージ６５を左右非対称に形成したことで、パチンコ球Ｐの転動する位置(第１球転動ステージ部７３および第２球転動ステージ部８０)によってステージ６５上での異なるパチンコ球Ｐの動きを楽しませることができるから、遊技演出の多様化を図り得る利点がある。
【００８０】
また、実施例では、前記装飾部材３７を遊技盤２０の右側に偏って配置して、遊技領域２１を遊技盤２０の左側に偏って設けてあることで、該遊技領域２１を流下するパチンコ球Ｐが遊技釘で弾かれてステージ６５上に直接到来した場合には、該パチンコ球Ｐは前記第１球転動ステージ部７３に進入する可能性が高くなる。すなわち、前記遊技領域２１をから遊技釘で弾かれてステージ６５へ到来したパチンコ球Ｐと、前記装飾部材３７の第１および第２球入口５４,５９を通過してステージ６５に到来した前記第２球転動ステージ部８０への移動可能性のあるパチンコ球Ｐとの間に、前記始動入賞装置２３への入賞に対する期待感の違いを明確に区分できる。従って、遊技領域２１を流下する間に第１および第２球入口５４,５９をパチンコ球Ｐが通過するかに関して遊技者の興趣を強く惹き付けることができる。更に、前記第１球転動ステージ部７３の第２球転動通路７４の右端部(第２球転動ステージ部８０のと境界位置)に上方へ突出する立上がり壁７８を設けてあるから、該第２球転動通路７４から第２球転動ステージ部８０(すなわち前記球案内路８３)へパチンコ球Ｐが直接移動するのを阻止できるから、第１球転動ステージ部７３と第２球転動ステージ部８０との遊技性を明確に区別したメリハリのある演出が可能となる。
【００８１】
(変更例)
なお、本発明に係る遊技機としては、実施例のものに限られるものではなく、種々の変更が可能である。
実施例では、枠状ケース体に開設した第３開口部の右側に偏倚した位置に第１および第２可動体を配置するよう構成したが、該第１および第２可動体を第３開口部の左側に偏倚した位置に設けるようにしてもよい。この場合には、前記第１および第２可動体の偏り側と反対側の右枠部に設けた駆動手段と可動体とを、可撓性ワイヤを有する駆動伝達手段に接続する。
【００８２】
実施例では、前記枠状ケース体に動作の異なる２種類の可動体を配設するよう構成したが、これに限られず、任意数および種類の可動体を枠状ケース体に配設するようにしてもよい。この場合に、枠状ケース体の左右縁部において対応の可動体の配置位置とは反対側の縁部に位置する駆動手段を接続する場合は、前記可撓性ワイヤで接続される。
【００８３】
実施例では、可撓性ワイヤを案内するガイド部として、可撓性ワイヤを摺動可能に挿通したチューブと、該チューブを保持するチューブ保持部とから構成したが、これに限られるものではなく、可撓性ワイヤが進退移動する軌跡に沿って延在するガイド溝を枠状ケース体に形成して、該ガイド溝内を可撓性ワイヤが摺動するよう構成することもできる。
【００８４】
また、前記可撓性ワイヤの進退動作を変換手段により回転運動に変換して可動体を揺動するよう構成したが、これに限られるものではなく、変換手段として従来公知の歯車やリンク機構等を組み合わせることで、可撓性ワイヤの進退動作を直線運動または回転運動に変換して可動体を動作させるよう構成することができる。
【００８５】
実施例では、装飾部材の左側部に遊技球をステージへ案内する球誘導部(複合ゲート部、球受け部および球案内通路)を設けるよう構成したが、これに限らず、該球誘導部を装飾部材の右側部に設けるようにしてもよい。特に、前記装飾部材を遊技盤における左右に偏った位置に配設した場合には、該装飾部材の偏り側とは反対側の側部に球誘導部を設けられる。
【００８６】
実施例のステージでは、枠状ケース体の左側に第１球転動ステージ部を設けると共に、該枠状ケース体の右側に第２球転動ステージ部を設けるよう構成したが、これに限らず、前記球案内通路の球出口側に第１球転動ステージ部が位置し、該第１球転動ステージ部より球案内通路の球出口から離間する位置に第２球転動ステージ部が位置する構成であれば、第１および第２球転動ステージ部を左右反対側に設けるようにしてもよい。また、第１球転動ステージ部としては、球案内通路の球出口に連通する第１球転動通路の遊技球を受け入れて、転動する遊技球を始動入賞装置とは異なる位置へ向けて排出する第１球排出部を有する第２球転動通路を備える構成であればよい。
【００８７】
また、第２球転動ステージ部としては、前記第１球転動通路を前記始動入賞装置とは異なる位置へ向けて排出する第２球排出部に連絡する連絡通路と、連絡通路の経路途中に設けられ、該連絡通路を転動する遊技球が落下可能な球落下部と、落下部から落下した遊技球を受け入れて、始動入賞装置へ向けて遊技球を排出する第３球排出部へ案内する球案内路とを設ける構成であれば、その他の構成は任意に変更することができる。
【００８８】
また、実施例では、遊技盤の前側に配設される環状体(装飾部材)に、電気部品としての普通図柄作動口の球検出センサおよび遊技状態表示装置を配設するよう構成したが、該球検出センサおよび遊技状態表示装置を遊技盤裏側に配設される枠状ケース体または他部材に設けるよう構成してもよい。すなわち、遊技盤の前側に配設される環状体に対して、一切の電気部品を配設しないよう構成すれば、遊技盤の製造時における作業性をより向上できる利点がある。
【００８９】
また、実施例では、遊技盤の裏側に配設した制御用中継基板(第３中継基板)を、枠状ケース体に配設される図柄表示装置に設けた制御装置に対して配線接続するよう構成したが、中枠等の遊技盤以外の部材に制御装置を配設して制御用中継基板と配線接続するようにしてもよい。
【００９０】
また、可動体や照明手段の枠状ケース体に対する配設位置は実施例のものに限られるものではなく、遊技盤の前側に配設される環状体(装飾部材)の開口部内に臨む可動体および照明手段の夫々が図柄表示装置の表示面より前方に位置するよう構成すれば、可動体や照明手段を枠状ケース体の任意位置に配設することができる。
【００９１】
なお、前記駆動手段としては、実施例のようにステッピングモータに限られるものではなく、従来公知の各種駆動手段を用いることが可能である。
【００９２】
なお、枠状ケース体に対する図柄表示装置のケース体の取付構造は、実施例の構成のものに限定されるものではなく、該枠状ケース体に対して図柄表示装置のケース体を着脱可能な構成であれば、種々の構成を採用し得る。例えば、図柄表示装置のケース体の左右両側面に回転式の固定具を配設し、枠状ケース体の対応位置に係合孔部を形成するよう構成することも可能である。また、実施例では、図柄表示装置のケース体を枠状ケース体に着脱するよう構成したが、該枠状ケース体に図柄表示装置を収容する構成であってもよい。
【図面の簡単な説明】
【００９３】
【図１】本発明の実施例に係るパチンコ機を示す正面図である。
【図２】実施例に係る各種部材を取り付けた状態で示す遊技盤の正面図である。
【図３】実施例に係る遊技演出装置を取り付けた状態を示す遊技盤の背面図である。
【図４】実施例に係る遊技盤を示す正面図である。
【図５】実施例に係る制御装置との関係を示す概略図である。
【図６】実施例に係る装飾部材と遊技演出装置とを遊技盤から取り外した状態で示す斜視図である。
【図７】実施例に係る遊技演出装置を示す左側面図である。
【図８】実施例に係る特別図柄表示装置を示す背面図である。
【図９】実施例に係る装飾部材を示す正面図であって、球誘導部およびステージの第１球転動ステージ部に対応する部位を拡大して示す。
【図１０】実施例に係る装飾部材の球誘導部を拡大して示す斜視図である。
【図１１】実施例に係る装飾部材と遊技演出装置とを組み付けた状態で、球誘導部を破断した状態を示す斜視図である。
【図１２】実施例に係る装飾部と遊技演出装置とを組み付けた状態で、ステージ部分で横断した状態を示す斜視図である。
【図１３】図１２の平面図である。
【図１４】実施例に係るステージを示す正面図であって、(a)は第１球転動ステージ部に対応する位置を拡大して示し、(b)は第２球転動ステージ部に対応する位置を拡大して示す。
【図１５】図１４(b)におけるＡ−Ａ線断面図である。
【図１６】実施例に係る遊技演出装置を示す正面図である。
【図１７】実施例に係る遊技演出装置の枠状ケース体を示す背面図である。
【図１８】実施例に係る遊技演出装置の枠状ケース体を示す平面図である。
【図１９】実施例に係る第１可動体、第１駆動モータおよび第１駆動伝達手段の関係を背面から見た状態で示す概略図である。
【図２０】実施例に係る第１可動体、第１駆動モータおよび第１駆動伝達手段の関係を側面から見た状態で示す概略図である。
【図２１】実施例に係る枠状係合孔部の設置部に図柄表示装置のケース体を取り付ける状態を示す図１７のＢ−Ｂ線断面図であり、(a)は枠状ケース体の係合受部にケース体の係合片を挿入した状態を示し、(b)は係合受部と係合片および係合孔と固定具の夫々を係合した状態を示す。
【符号の説明】
【００９４】
２０  遊技盤
２１  遊技領域
２３  始動入賞装置
２６  開閉部材
２８  特別入賞装置
３０  特別図柄表示装置
３１  表示面
３７  装飾部材
３９  第２開口部(開口部)
４６  普通図柄表示部
５２  普通図柄作動口
５４  第１球入口
５８  球受け部
５９  第２球入口
６１  球案内通路
６５  ステージ
Ｐ  パチンコ球(遊技球)
【図１】
2008125771.tif 000003
【図２】
2008125771.tif 000004
【図３】
2008125771.tif 000005
【図４】
2008125771.tif 000006
【図５】
2008125771.tif 000007
【図６】
2008125771.tif 000008
【図７】
2008125771.tif 000009
【図８】
2008125771.tif 000010
【図９】
2008125771.tif 000011
【図１０】
2008125771.tif 000012
【図１１】
2008125771.tif 000013
【図１２】
2008125771.tif 000014
【図１３】
2008125771.tif 000015
【図１４】
2008125771.tif 000016
【図１５】
2008125771.tif 000017
【図１６】
2008125771.tif 000018
【図１７】
2008125771.tif 000019
【図１８】
2008125771.tif 000020
【図１９】
2008125771.tif 000021
【図２０】
2008125771.tif 000022
【図２１】
2008125771.tif 000023